(57)【要約】【課題】安全で使用場所が制限されず子供が使用出来る遊具を提供すること。シャンパンに対し栓が飛出する音や葡萄酒の溢出乃至飛散に加えて場の雰囲気を更に盛り上げる効果を発現する能力を付与すること。【解決手段】遊具部材９１及びこれを用いた無火薬遊具の提供による。遊具部材９１は、１乃至複数の飛飾物７と、その飛飾物７を収容した筒状体９２と、その筒状体９２の外に設けられる接着体９３と、を備える。遊具部材９１は、接着体９３が尾部９４において飛飾物７と接続されるとともに、筒状体９２の端面９６が開口容易性を有している。無火薬遊具は、遊具部材９１と炭酸溶液が充填され栓で密閉された容器とを備え、遊具部材９１の接着体９３が栓に取り付けられるものである。【選択図】図１０
2005160765.tif 000002
【特許請求の範囲】
【請求項１】
１乃至複数の飛飾物と、前記飛飾物を収容した筒状体と、前記筒状体の外に設けられる取着体と、を備え、
前記取着体が前記飛飾物の少なくとも１部と接続されるとともに、前記筒状体の一端面が開口容易性を有する遊具部材。
【請求項２】
前記取着体が前記飛飾物の少なくとも１部と紐状体を介して接続されるとともに、前記取着体と前記飛飾物との間に指向性体が備わる請求項１に記載の遊具部材。
【請求項３】
前記取着体が、冠着機能又は接着機能を有する請求項１又は２に記載の遊具部材。
【請求項４】
前記筒状体が保持部を備える請求項１〜３の何れか一項に記載の遊具部材。
【請求項５】
請求項１〜４の何れか一項に記載の遊具部材と、炭酸溶液が充填され栓で密閉された容器と、を備え、
前記遊具部材の取着体が前記栓に取り付けられる無火薬遊具。
【請求項６】
前記炭酸溶液が炭酸ガスを含有する発泡性葡萄酒である請求項５に記載の無火薬遊具。
【請求項７】
請求項１〜４の何れか一項に記載の遊具部材と、圧縮性ガスが充填され栓で密閉された容器と、を備え、
前記遊具部材の取着体が前記栓に取り付けられる無火薬遊具。
【発明の詳細な説明】
【技術分野】
【０００１】
本発明は、自らは推進力を発現せず他の推進力を利用する遊具部材と、火薬を用いない安全な遊具に関する。
【背景技術】
【０００２】
祝宴等では、場の雰囲気を盛り上げるために、クラッカーとシャンパンとが用いられることが多い。クラッカーは、一般に、飾り巻テープや色紙片と、それらに推進力を付与するための火薬と、飾り巻テープや色紙片及び火薬が収められる箱体と、を主構成要素としてなる遊具であり、箱体から引き出された紐を引っ張ることによって火薬が爆発し、その爆発によって生じる推進力が、飾り巻テープや色紙片を空中へ発射させ、爆発音とともに、華やかさ、派手さ、を演出する。
【０００３】
又、シャンパンは飲料であるが、一般に、祝宴等において場の雰囲気を盛り上げる効果をもたらす遊具的側面を有するものとして用いられている。シャンパンは発酵によって生じた炭酸（炭酸ガス）を含んだ葡萄酒であり、栓をしたまま容器を揺らすと、容器内において、液中から気中へ炭酸ガスの移動が進み、この気中へ移動した炭酸ガスに基づく推進力により、栓が、ポンという音とともに飛び、併せて、葡萄酒が溢れ出し飛び散る。
【０００４】
しかし、祝宴等で用いられるクラッカー及びシャンパンには、次のような課題があった。先ず、クラッカーは、通常、火薬を使用しているため危険であり、使用場所が制限され、場所によっては使用出来ないことがあり得た。又、子供が誕生日会等で使用するのには適さなかった。一方、祝宴等の場でクラッカーを使用せずシャンパンを遊具的に用いるだけでは、鮮やかさに欠け、今ひとつ盛り上がりに欠けた。色紙片や飾り巻テープを、祝宴の参加者が投げることがあるが、うまくいかず場がしらける場合があった。尚、クラッカー、あるいは、遊具としてのシャンパン（即ち、場の雰囲気を盛り上げる効果を発現する手段としてのシャンパン）、に関する先行技術文献は見当たらないようである。クラッカーの先行技術文献としては、例えば特許文献１が挙げられるが、上記課題を解決し得るものではないようである。
【特許文献１】特開２００３−３９８６０号公報
【発明の開示】
【発明が解決しようとする課題】
【０００５】
本発明は、上記した問題点に鑑みてなされたものであり、その目的とするところは、安全で使用場所が制限されない遊具、子供が使用出来る遊具、を提供することにある。又、シャンパンに対し、栓が飛出する音や葡萄酒の溢出乃至飛散に加えて、場の雰囲気を更に盛り上げる効果を発現する能力を付与することにある。クラッカーにおいて推進力を生じる火薬の代わりの推進力発生手段と、シャンパンに対する華やかさ乃至派手さ付与手段と、について検討が重ねられた結果、以下に示す手段により、上記目的を達成出来ることが見出された。
【課題を解決するための手段】
【０００６】
即ち、本発明によれば、１乃至複数の飛飾物と、その飛飾物を収容した筒状体と、その筒状体の外に設けられる取着体と、を備え、取着体が飛飾物の少なくとも１部と接続されるとともに、筒状体の一端面が開口容易性を有する遊具部材が提供される。
【０００７】
本発明に係る遊具部材は、自らは飛飾物を空中に舞わせるような推進力発生手段を有するものではないが、他の手段により取着体に推進力を与えれば、取着体に接続された飛飾物が、容易に開口可能な筒状体の一端面を開き、筒状体の外へ飛出し、華やかさ乃至派手さを演出し得る。飛飾物は、容易に空中に飛出して舞って、人間の感性に華やかさ乃至派手さ等を印象づけ得るものであれば、限定されるものではない。例えば、色紙片や飾り巻テープや金属箔やプラスチック片（発泡樹脂等含む）、又は、飛出すると絵や文字等が表示される垂れ幕、若しくは、飛行中に音を発生させる笛、落下傘、シャボン玉、等が挙げられる。飛飾物は、安全で、鮮やかで、軽いことが好ましいが、材質、色、重量、形状等を限定するものではない。筒状体は、飛飾物が飛出し易い筒状を呈し飛飾物を収容出来ればよく、具体的形状、大きさ、材質、固定方法、固定される設置場所等は限定されない。製造し易さ、コスト等を勘案すれば、好ましい筒状体として、紙製又はプラスチック製若しくは金属の円筒体又は３〜８角の角筒体若しくは球体が例示される。
【０００８】
本発明に係る遊具部材においては、取着体が飛飾物の少なくとも１部と紐状体を介して接続されるとともに、取着体と飛飾物との間に指向性体が備わることが好ましい。
【０００９】
取着体は、他の推進力発生手段を利用するために、その推進力発生手段の１部乃至全部を被取着体として、それに取着し得るものであればよい。形状や材質や取着にかかる機構等は限定されない。好ましい取着体は、冠着機能又は接着機能を有するものである。ここで、冠着機能を有する取着体を冠着体とよび、接着機能を有する取着体を接着体とよぶ。
【００１０】
冠着体は、他の推進力発生手段の１部乃至全部を被冠着体として、それに被せて取り付け得るものであればよく、形状や材質や冠着にかかる詳細機構等は限定されない。例えば、冠着が容易に出来るように、可撓性を有する材料（プラスチック、厚紙等）を用いて、人間の手のように胴部（手のひら）と指部（指）を形成し、指部を撓ませて被冠着体を掴持するような態様の冠着体が例示される。冠着体は飛飾物の少なくとも１部と接続されるが、飛飾物として飾り巻テープのみを用いる場合には全部と接続することが、華やかさの演出のために、より効果的である。
【００１１】
接着体は、他の推進力発生手段の１部乃至全部を被接着体として、それに接着して取り付け得るものであればよく、形状や材質や接着にかかる詳細機構等は限定されない。例えば、接着が容易に出来るように、一定の面積を有する材料（プラスチック、厚紙等）を用いて、その片面に両面テープを設けた態様の接着体が例示される。接着体は飛飾物の少なくとも１部と接続されるが、飛飾物として飾り巻テープのみを用いる場合には全部と接続することが、華やかさの演出のために、より効果的である。接着体は紐状体を介して飛飾物と接続してもよいが、上記一定の面積を有する材料を、おたまじゃくし、のような形状として、尾の先に飛飾物を接続してもよい。
【００１２】
筒状体の一端面が有する開口容易性とは、通常は飛飾物を収容し閉じている筒状体が、他の推進力発生手段から取着体に付与される推進力によって、使用前は閉じているその一端面を、容易に開き得るものであることを示す。開口の容易さは、取着体に付与される推進力との間で相対的に決まり、限定されるものではない。推進力発生手段の選択の幅を広げるために、より弱い推進力で開口可能であることが好ましい。例えば、一端面が開口容易性を有する筒状体として、紙製の筒状体であって、その紙を折り曲げて閉じ一端面を形成しただけのもの、あるいは、材質を問わない筒状体において、開口されたその一端面に、紙製やプラスチック製や金属箔製等の蓋部材を軽く接着（糊付等）させたもの等が例示される。
【００１３】
紐状体は、材質、太さ等を限定しない。取着体に推進力が付与され、接続された飛飾物を筒状体から飛出させるときに切断されない程度の強度を有し、筒状体に収容し易いものが好ましい。又、この紐状体にも鮮やかさを発現出来るよう、色付け等を施すことも好ましい。紐状体として、綿紐、麻紐、樹脂製糸、プラスチックテープ、ゴム紐等が例示される。
【００１４】
指向性体は、推進力が付与された取着体及び筒状体から飛出しようとする飛飾物に、飛出方向の指向性を付与し抵抗を得るものであればよく、限定されるものではない。指向性体は、飛飾物と取着体との間に備わり、ともに飛出するので、軽いことが好ましい。又、指向性体に対しても鮮やかさを発現出来るように、色付け等を施すことが好ましい。指向性体として、紙製又はプラスチック製若しくはアルミ箔、ビニールの錐状体が例示される。
【００１５】
本発明に係る遊具部材においては、筒状体が、保持部を備えることが好ましい。
【００１６】
本発明に係る遊具部材は、自ら推進力を発現しないので、使用する際には、主に別途用意した推進力発生手段により推進力を発生させることになるが、保持部は、その作業を妨げないように、筒状体を、例えば手又は腕等に保持するためのものである。保持部の態様は、特に限定されない。把手（取っ手）等を形成してもよいが、より好ましい保持部は、輪状のゴム、綿紐、樹脂製糸、ビニルテープ、接着テープ等である。
【００１７】
次に、本発明によれば、上記遊具部材と、炭酸溶液が充填され栓で密閉された容器と、を備え、遊具部材の取着体が栓に取り付けられる無火薬遊具（第１の無火薬遊具とよぶ）が提供される。
【００１８】
本発明に係る第１の無火薬遊具は、栓を開けたときに炭酸溶液及びそれから気中に移動した炭酸ガスにより、栓及びそれに取り付けられた上記遊具部材の取着体に付与される推進力によって、取着体に接続された飛飾物が筒状体の一端面を開き筒状体の外へ飛出し、華やかさ乃至派手さを演出し、場の盛り上げに貢献する。炭酸溶液は炭酸が溶解している溶液をいい、炭酸ガスはガス化した炭酸である。炭酸溶液及びそれから気中に移動した炭酸ガスと表現しているのは、炭酸溶液のみを入れても、栓で密閉された容器の中で炭酸がガス化して（液中から気中に移動して）、容器中で炭酸溶液及び炭酸ガスとなるからである。炭酸がガス化することで容器内圧力が高まり、その圧力が推進力源となる。本発明に係る第１の無火薬遊具は、炭酸溶液を限定しない。例えば、市販されている炭酸入りの飲料を用いることが出来る。コカコーラ（登録商標）やその他炭酸入りジュース等であってもよい。通常、それらは容器が栓で密閉されておらず、扱い難いため、最も好ましい炭酸溶液は炭酸ガスを含有する発泡性葡萄酒（シャンパンを含む）である。尚、炭酸ガスを含有する発泡性葡萄酒はアルコール分の極少ない子供用のものが市販されている。
【００１９】
更に、本発明によれば、上記遊具部材と、圧縮性ガスが充填され栓で密閉された容器と、を備え、遊具部材の取着体が栓に取り付けられる無火薬遊具（第２の無火薬遊具とよぶ）が提供される。尚、本明細書において、単に無火薬遊具というときには、第１の無火薬遊具及び第２の無火薬遊具の両方を指す。
【００２０】
本発明に係る第２の無火薬遊具は、栓を開けたときに圧縮性ガスにより、栓及びそれに取り付けられた上記遊具部材の取着体に付与される推進力によって、取着体に接続された飛飾物が筒状体の一端面を開き筒状体の外へ飛出し、華やかさ乃至派手さを演出し、場の盛り上げに貢献する。圧縮性ガスは、自身が有する圧力が推進力源となる。本発明に係る第１の無火薬遊具は、圧縮性ガスを限定しない。例えば、安全な空気を使用出来る。
【発明の効果】
【００２１】
本発明に係る無火薬遊具は、筒状体に収容され隠されていた飛飾物が一瞬のうちに飛出し、華やかさ乃至派手さを演出する、というクラッカー類似の動作・現象を起こすが、火薬を用いないという点において、一般的に認められる火薬を用いる従来のクラッカーとは一線を画し、技術的思想を異にするものである。
【００２２】
本発明に係る遊具部材は、飛飾物の少なくとも１部と接続された取着体を有し、飛飾物を収容した筒状体の一端面が開口容易性を有するので、火薬に限定されず種々の推進力発生手段、特に安全な推進力発生手段を利用して、取着体に推進力を与え、飛飾物を一瞬のうちに飛出させ、安全に、華やかさ乃至派手さを演出し、場の雰囲気を盛り上げることが出来る。
【００２３】
本発明に係る無火薬遊具は、火薬を用いず安全であるから使用場所が限定されず、火気厳禁の場所等であっても、華やかさ乃至派手さを演出し場の雰囲気を盛り上げるために使用出来る。又、子供が主役の誕生日会等の祝宴等において、子供自身が使用しても安全である。特に、本発明に係る第１の無火薬遊具において、炭酸溶液として炭酸ガスを含有する発泡性葡萄酒を用いると、炭酸ガスを含有する発泡性葡萄酒を振って栓を開けたときに、従来の、栓が飛出する音や葡萄酒の溢出乃至飛散に加え、飛飾物が鮮やかに舞って、場の雰囲気の盛り上がりに寄与する。一般の火薬を用いる遊具を使用しなくても、充分に華やかで派手な演出が可能である。
【発明を実施するための最良の形態】
【００２４】
以下、本発明の実施の形態について、図面を参酌しながら説明するが、本発明はこれらに限定されて解釈されるべきものではなく、本発明の範囲を逸脱しない限りにおいて、当業者の知識に基づいて、種々の変更、修正、改良を加え得るものである。例えば、図面は、好適な本発明の実施の形態を表すものであるが、本発明は図面に表される態様や図面に示される情報により制限されない。本発明を実施し又は検証する上では、本明細書中に記述されたものと同様の手段若しくは均等な手段が適用され得るが、好適な手段は以下に記述される手段である。
【００２５】
先ず、本発明に係る遊具部材について説明する。図１は、本発明に係る遊具部材の一実施形態を示す斜視図である。又、図２は、図１に示す遊具部材において、冠着体を逆さにして示し、筒状体の断面を表して、収容された複数の飛飾物を露わにした図である。図１及び図２に示される遊具部材１は、飛飾物７と、その飛飾物７を収容した筒状体２と、その筒状体２の外に設けられた冠着体３と、を備える。飛飾物７は複数の飾り巻テープからなり、筒状体２は紙製で円筒状を呈する。冠着体３はプラスチック製であり可撓性を有する。その冠着体３は、綿紐からなる紐状体４を介して、飛飾物７と接続され、且つ、飛飾物７と紐状体４の間には、紙製の円錐体である指向性体８が備わっている。更に、筒状体２は輪状ゴムからなる保持部５を備えている。
【００２６】
遊具部材１において、筒状体２の端面６は、開口容易性を有する。これは、端面６が、筒状体２の筒部２１と同材質の紙製であって、筒部２１の端部に切れ込みを入れて折り曲げただけで形成されることによって実現されている（後述する製造方法参照）。
【００２７】
遊具部材１において、冠着体３は、胴部３１と４つの指部３２とから構成され、指部３２が撓んで変形し、被冠着体を掴持可能としている。図３は、図１，２に示す遊具部材１において、冠着体３を筒状体２に被せたところを示す斜視図である。これは販売態様の一例であり、必要に応じ包装を施せばよい。
【００２８】
図９は、本発明に係る遊具部材の他の実施形態を示す斜視図である。又、図１０は、図９に示す遊具部材において、接着体の側面を示すとともに、筒状体の断面を表して、収容された複数の飛飾物を露わにした図である。図９及び図１０に示される遊具部材９１は、飛飾物７と、その飛飾物７を収容した筒状体９２と、その筒状体９２の外に設けられた接着体９３と、を備える。飛飾物７は複数の飾り巻テープからなり、筒状体９２は紙製で円筒状を呈する。接着体９３は、プラスチック製であり、頭部９５と尾部９４とを有するおたまじゃくし似の形状を呈している。その接着体９３は、尾部９４の概ね端において飛飾物７と接続され、筒状体２は、輪状ゴムからなる保持部５を備えている。
【００２９】
遊具部材９１において、筒状体９２の端面９６は、開口容易性を有する。これは、端面９６が、筒状体９２の筒部１０１と同材質の紙製であって、筒部１０１の端部に切れ込みを入れて折り曲げただけで形成されることによって実現されている（後述する遊具部材１にかかる製造方法参照）。遊具部材９１において、接着体９３の片面には、両面テープ９７が設けられ、使用時にライナーを剥がし接着面を露わにして被接着体へ接着可能としている。
【００３０】
次に、本発明に係る無火薬遊具について説明する。図５は、本発明に係る無火薬遊具の一実施形態を示す斜視図である。無火薬遊具５０は、上記した遊具部材１と、栓５２で密閉された容器５１と、を備え、遊具部材１の冠着体３は栓５２に被せられる。容器５１に炭酸溶液を充填すれば、本発明に係る第１の無火薬遊具となり、容器５１に圧縮性ガスを充填すれば、本発明に係る第２の無火薬遊具となる。炭酸溶液から発生した炭酸ガス、乃至、圧縮性ガスによって、容器５１内の圧力が高まっているため、栓５２を容器５１から外すと、栓５２に被せられた冠着体３が栓５２とともに飛出し冠着体３に推進力が付与され、冠着体３に接続された飛飾物７（図示しない）が、容易に開口可能な筒状体２の端面６を開き、筒状体２の外へ飛出し、華やかさ乃至派手さを演出する。尚、遊具部材１の代わりに遊具部材９１を採用することが可能である。
【００３１】
図４は、本発明に係る第１の無火薬遊具の一実施形態を示す斜視図である。栓４２で密閉された容器４１の中には炭酸溶液として炭酸（炭酸ガス）を含んだ葡萄酒が入っている。即ち、図４に示される本発明に係る第１の無火薬遊具は、上記（本発明に係る）遊具部材１に、推進力発生手段として炭酸ガスを含有する発泡性葡萄酒を加えた態様である。図４に示される態様は販売態様の一例でもある。図示されるように、包装された炭酸ガスを含有する発泡性葡萄酒に対し、遊具部材１の冠着体３を栓４２に被せ、遊具部材１の保持部５によって容器４１のネック部分に吊り下げれば、包装も要らず簡素で洒落た態様になる。
【００３２】
図７及び図８は、図４に示される本発明に係る第１の無火薬遊具の使用態様を示す図である。図７に示されるように、遊具部材１の冠着体３を栓４２に被せ、遊具部材１の保持部５に一方の手の指を通して筒状体２を保持する。そして、容器４１を振って、炭酸溶液から炭酸ガスの液中への移動を促進させ容器４１内の圧力を高める。次いで、手で栓４２を緩めていくと、図８に示されるように、派手な音を伴って炭酸溶液（炭酸（炭酸ガス）入り葡萄酒）が溢れ出し、併せて、栓４２に被せられた冠着体３が栓４２とともに飛出し、冠着体３が紐状体４を引っ張り、更に指向性体８に接続された飛飾物７を引っ張り、飛飾物７が、筒状体２の端面６を開き、筒状体２の外へ飛出し、華やかに舞う。本発明に係る第１の無火薬遊具は、取扱が簡便であり、火薬を使用する危険なクラッカーを用いなくても、炭酸ガスを含有する発泡性葡萄酒を推進力（動力）発生手段として用い、容易に場の雰囲気を盛り上げることが可能である。
【００３３】
次に、本発明に係る遊具部材を製造する方法について、上記した図１及び図２に示される遊具部材１を製造する場合を一例にとり、説明する。予め各部品を作製し、それらを組立して製造する。図６は、各部品を示す説明図である。
【００３４】
冠着体３は可撓性を有するプラスチック材料を用いて、成形又は加工により作製する。飛飾物７として市販の飾り巻テープを複数用意する。紐状体４として市販の綿紐を用意する。又、のちに保持部５（図１及び図２参照）となる市販の輪状ゴム６５を用意する。他に、厚紙を切り抜いて、のちに筒状体２（図１及び図２参照）となる筒状体前駆紙６１と底紙６９、及び、のちに指向性体８（図１及び図２参照）となる指向性体前駆紙６８と、を作製する。
【００３５】
筒状体前駆紙６１は、図８に示す形状を呈するものであり、それを、のちに筒部２１（図１及び図２参照）となる筒前駆部６２と、のちに容易に開口する端面６（図１及び図２参照）となる端面前駆部６６と、のりしろ６３と、のちに開口しない筒状体の底面となる底面前駆部６７と、の境界で軽く折り曲げておく。そして、筒状体前駆紙６１を、のりしろ６３が、輪状ゴム６５をはさみ込みながら、図中において左側の端辺７０に重なるように、丸めて、円筒状にする。次いで、底面前駆部６７を、その円筒の中心軸方向に折り曲げた状態で、底紙６９を外付けし（あるいは底紙６９を円筒体の内側から付け）、底面が閉じられ保持部５を有する筒状体２を得る（このとき、もとの筒状体前駆紙６１の端面前駆部６６は完全に曲げられず、端面６は未だ開いている）。
【００３６】
指向性体前駆紙６８を、のりしろ８３が、端辺８０に重なるように、丸めて、円錐状の指向性体８（図１及び図２参照）を得る。そして、冠着体３に紐状体４を取着し、紐状体４に指向性体８を接続し、指向性体８に飛飾物７を取着する。そして、先に得られた筒状体２の中へ、飛飾物７、指向性体８、紐状体４（一部分）の順に収容し、冠着体３は筒状体２の外に出したままとする。もとの筒状体前駆紙６１の端面前駆部６６をしっかりと折り曲げて、開口容易な端面６を形成すれば、遊具部材１が得られる。
【産業上の利用可能性】
【００３７】
本発明に係る遊具部材及び無火薬遊具は、結婚式、誕生日会、送迎会、その他各種のイベント、パーティ、祝宴等において、場の雰囲気を盛り上げる安全な手段として、好適に用いられる。
【図面の簡単な説明】
【００３８】
【図１】本発明に係る遊具部材の一実施形態を示す斜視図である。
【図２】図１に示す遊具部材において、冠着体を逆さにして示し、筒状体の断面を表して、収容された複数の飛飾物を露わにした図である。
【図３】図１に示す遊具部材において、冠着体を筒状体に被せたところを示す斜視図である。
【図４】本発明に係る無火薬遊具の一実施形態を示す斜視図である。
【図５】本発明に係る無火薬遊具の他の実施形態を示す斜視図である。
【図６】本発明に係る遊具部材を示す図であり、各部品を表す説明図である。
【図７】本発明に係る無火薬遊具の使用態様を示す図である。
【図８】本発明に係る無火薬遊具の使用態様を示す図である。
【図９】本発明に係る遊具部材の他の実施形態を示す斜視図である。
【図１０】図９に示す遊具部材において、接着体の側面を示し、筒状体の断面を表して、収容された複数の飛飾物を露わにした図である。
【符号の説明】
【００３９】
１，９１…遊具部材、２，９２…筒状体、３…冠着体、４…紐状体、５…保持部、６，９６…端面、７…飛飾物、８…指向性体、２１，１０１…筒部、３１…胴部、３２…指部、４１，５１…容器、４２，５２…栓、５０…無火薬遊具、６１…筒状体前駆紙、６２…筒前駆部、６３，８３…のりしろ、６５…輪状ゴム、６６…端面前駆部、６７…底面前駆部、６８…指向性体前駆紙、６９…底紙、８０…端辺、９３…接着体、９４…尾部、９５…頭部、９７…両面テープ。
【図１】
2005160765.tif 000003
【図２】
2005160765.tif 000004
【図３】
2005160765.tif 000005
【図４】
2005160765.tif 000006
【図５】
2005160765.tif 000007
【図６】
2005160765.tif 000008
【図７】
2005160765.tif 000009
【図８】
2005160765.tif 000010
【図９】
2005160765.tif 000011
【図１０】
2005160765.tif 000012